(57)【特許請求の範囲】
【請求項１】
本体ハウジングと、ディスプレイ装置と、前記本体ハウジングに対して第１及び第２のヒンジ軸を中心に回転するフォルダと、前記第１及び第２のヒンジ軸を備え、前記フォルダを前記第１及び第２のヒンジ軸を中心に回転可能に前記本体ハウジングに接続させる接続部材とを含む携帯端末機の回転ヒンジ装置であって、
前記接続部材と結合されるベース部材と、
前記フォルダに結合される回転部材と、
前記回転部材に備えられる第１及び第２のガイドピンと、
前記ベース部材に備えられ、前記第１のガイドピンと結合され、前記回転部材が前記第２のヒンジ軸を中心に回転するとき、前記第１のガイドピンの直線移動をガイドする第１のガイド部材と、
前記ベース部材に備えられ、第２のガイドピンと結合され、前記回転部材が第２のヒンジ軸を中心に回転するとき、第２のガイドピンの曲線移動をガイドし、前記第２のヒンジ軸を第２のガイドピンと共に曲線移動させて前記フォルダのディスプレイ装置を前記接続部材の中心に位置させる第２のガイド部材と、
前記ベース部材と前記回転部材との間に備えられ、前記第１及び第２のガイドピンが直線又は曲線移動可能にパワーを提供するパワー供給手段と、
を含み、
前記第２のガイド部材は、前記第２のガイドピンを貫通させる第２のガイド孔を含み、
前記第２のガイド孔は、前記フォルダを回転させるときに前記第２のガイドピンの曲線移動をガイドする第１の曲線ガイド部と、第１の曲線ガイド部の反対側に形成される第２の曲線ガイド部と、を有し、
前記第２のガイドピンが前記第１の曲線ガイド部に沿って移動し、前記第２のガイド孔の中間部に形成された屈曲点を通り、前記第２の曲線ガイド部に沿って移動することを特徴とする携帯端末機の回転ヒンジ装置。
【請求項２】
前記第１のガイド部材は、前記第１のガイドピンを貫通させる第１のガイド孔を含み、
前記第１のガイド孔は、前記フォルダの長さ方向に沿って直線状に形成され、前記第１のガイド孔の一端には前記第１のガイドピンと接続され、前記フォルダの回転が終了する位置で前記第１のガイドピンの直線移動を停止させる第１のストッパーを有し、前記第１のガイド孔の他端には前記第１のガイドピンに接続されて前記フォルダが９０度回転するときに前記第１のガイドピンを停止させる第２のガイドストッパーを有することを特徴とする請求項１に記載の携帯端末機の回転ヒンジ装置。
【請求項３】
前記第２のガイド孔は、‘Ｓ’字形を有することを特徴とする請求項１に記載の携帯端
末機の回転ヒンジ装置。
【請求項４】
前記第１の曲線ガイド部は、前記第２のガイド孔の一端に形成され、前記第２のガイドピンと接触して前記フォルダの回転が終了する位置で前記第２のガイドピンを停止させる第１のストッパーを有し、
前記第２の曲線ガイド部は、前記第２のガイド孔の他端に形成され、第２のガイドピンと接触して前記フォルダが９０度回転したときに前記第２のガイドピンを停止させる第２のストッパーを有することを特徴とする請求項１に記載の携帯端末機の回転ヒンジ装置。
【請求項５】
前記パワー供給手段は、一端が前記第２のガイドピンに接続され、他端が前記ベース部材に結合される弾性部材からなり、前記弾性部材は、前記第２のガイドピンが移動するに従って所定の軌跡に沿って移動することを特徴とする請求項１に記載の携帯端末機の回転ヒンジ装置。
【請求項６】
本体ハウジングと、ディスプレイ装置と、前記本体ハウジングに対して第１、第２、及び第３のヒンジ軸を中心に回転するフォルダと、前記第１、第２、及び第３のヒンジ軸を備え、前記フォルダを前記第１、第２、及び第３のヒンジ軸を中心に回転可能に前記本体ハウジングに接続させるデュアル接続部材とを含む携帯端末機のデュアルヒンジ装置であって、
前記デュアル接続部材と結合されるベース部材と、
前記フォルダに結合される回転部材と、
前記回転部材に備えられる第１及び第２のガイドピンと、
前記ベース部材に備えられ、前記第１のガイドピンと結合され、前記回転部材が前記第２及び第３のヒンジ軸を中心に回転するとき、前記第１のガイドピンの直線移動をガイドする第１のガイド部材と、
前記ベース部材に備えられ、前記第２のガイドピンと結合され、前記回転部材が第２及び第３のヒンジ軸を中心に回転するとき、前記第２のガイドピンの曲線移動をガイドし、前記第２及び第３のヒンジ軸を前記第２のガイドピンと共に曲線移動させて前記フォルダのディスプレイ装置を前記接続部材の中心に位置させる第２のガイド部材と、
前記ベース部材と前記回転部材との間に備えられ、前記第１及び第２のガイドピンが直線又は曲線移動可能にパワーを提供するパワー供給手段と、
を含み、
前記第２のガイド部材は、前記第２のガイドピンを貫通させる第２のガイド孔を含み、
前記第２のガイド孔は、前記フォルダを回転させるときに前記第２のガイドピンの曲線移動をガイドする第１の曲線ガイド部と、第１の曲線ガイド部の反対側に形成される第２の曲線ガイド部と、を有し、
前記第２のガイドピンが前記第１の曲線ガイド部に沿って移動し、前記第２のガイド孔の中間部に形成された屈曲点を通り、前記第２の曲線ガイド部に沿って移動することを特徴とする携帯端末機のデュアルヒンジ装置。
【請求項７】
前記デュアル接続部材は、第１、第２、及び第３の接続部材を含み、
前記第１の接続部材は、前記第１のヒンジ軸を提供し、前記フォルダを前記本体ハウジングに回転可能に接続させ、
前記第２の接続部材は、前記第２のヒンジ軸を提供し、前記フォルダが第２のヒンジ軸を中心に回転すると、第１のガイドピンは、前記第１のガイド部材によって直線移動するとともに、第２のガイドピンは前記第２のガイド部材によって曲線移動し、前記フォルダの第２のヒンジ軸を移動させて、前記フォルダを９０度回転させ、
前記第３の接続部材は、前記第３のヒンジ軸を提供し、前記本体ハウジングが前記第３のヒンジ軸を中心に回転すると、前記第１のガイドピンは前記第１のガイド部材によって直線移動するとともに、前記第２のガイドピンは前記第２のガイド部材によって曲線移動して前記本体ハウジングの第３のヒンジ軸を移動させ、前記本体ハウジングを９０度回転させることを特徴とする請求項６に記載の携帯端末機のデュアルヒンジ装置。
【請求項８】
前記本体ハウジング及び前記フォルダが前記第２及び第３のヒンジ軸を中心に直線又は曲線に移動すると、前記本体ハウジング及び前記フォルダは、９０度回転されて‘Ｈ’字形に配置されることを特徴とする請求項６に記載の携帯端末機のデュアルヒンジ装置。
【請求項９】
本体ハウジングと、ディスプレイ装置と、前記本体ハウジングに対向する状態で前記本体ハウジングの上面で回転する回転ハウジングとを含む携帯端末機の回転ヒンジ装置であって、
前記本体ハウジングに結合されるベース部材と、
前記回転ハウジングに結合される回転部材と、
前記回転部材に備えられる第１及び第２のガイドピンと、
前記回転部材が前記ヒンジ軸を中心に回転する場合に前記第１のガイドピンの直線移動をガイドするように、前記ベース部材に備えられ、前記第１のガイドピンに結合される第１のガイド部材と、
前記回転部材が前記ヒンジ軸を中心に回転する場合に第２のガイドピンの曲線移動をガイドし、前記第２のガイドピンに沿って前記ヒンジ軸を移動させて前記回転ハウジングのディスプレイ装置を前記本体ハウジングの中央部に位置させるように、前記ベース部材に備えられ、前記第２のガイドピンに結合される第２のガイド部材と、
前記ベース部材と前記回転部材との間に備えられ、前記第１及び第２のガイドピンが直線又は曲線移動可能にパワーを提供するパワー供給手段と、
を含むことを特徴とするスイング型携帯端末機の回転ヒンジ装置。
【請求項１０】
本体ハウジングと、ディスプレイ装置と、ヒンジ軸を中心に前記本体ハウジング上で回転するフォルダとを含む携帯端末機の回転ヒンジ装置であって、
前記ベース部材と、
前記回転部材と、
前記回転部材に備えられる第１及び第２のガイドピンと、
前記回転部材が前記ヒンジ軸を中心に回転する場合に第１及び第２のガイドピンの直線移動をガイドし、前記第１及び第２のガイドピンに沿って前記ヒンジ軸を曲線移動させて前記フォルダのディスプレイ装置を前記本体ハウジングの中央部に位置させるように、前記ベース部材に備えられ、前記第１及び第２のガイドピンに結合される第１及び第２のガイド部材と、
を含み、
前記第２のガイド部材は、前記第２のガイドピンを貫通させる第２のガイド孔を含み、
前記第２のガイド孔は、前記フォルダを回転させるときに前記第２のガイドピンの曲線移動をガイドする第１の曲線ガイド部と、第１の曲線ガイド部の反対側に形成される第２の曲線ガイド部と、を有し、
前記第２のガイドピンが前記第１の曲線ガイド部に沿って移動し、前記第２のガイド孔の中間部に形成された屈曲点を通り、前記第２の曲線ガイド部に沿って移動することを特徴とする携帯端末機の回転ヒンジ装置。
【請求項１１】
本体ハウジングと、ディスプレイ装置と、第１及び第２のヒンジ軸を中心に前記本体ハウジングから離れるように回転するフォルダと、前記第１及び第２のヒンジ軸を備え、前記フォルダを前記第１及び第２のヒンジ軸を中心に回転するように接続させる接続部材とから構成される携帯端末機の回転ヒンジ装置であって、
前記接続部材に締結されるベース部材と、
前記フォルダに締結される回転部材と、
前記ベース部材を貫通して前記回転部材に結合される第１及び第２のガイドピンと、
前記回転部材が前記第２のヒンジ軸を中心に回転される場合に前記第１のガイドピンが半自動で曲線移動し、前記第２のガイドピンが半自動で直線移動するように前記ベース部材に備えられる第１及び第２のガイド部材と、
前記第１及び第２のガイドピンが半自動で曲線又は直線移動させる力を提供するために、前記ベース部材の内側に位置され、前記第１及び第２のガイドピンに結合される複数のパワー供給手段と、
を含み、
前記第２のガイド部材は、前記第２のガイドピンを貫通させる第２のガイド孔を含み、
前記第２のガイド孔は、前記フォルダを回転させるときに前記第２のガイドピンの曲線移動をガイドする第１の曲線ガイド部と、第１の曲線ガイド部の反対側に形成される第２の曲線ガイド部と、を有し、
前記第２のガイドピンが前記第１の曲線ガイド部に沿って移動し、前記第２のガイド孔の中間部に形成された屈曲点を通り、前記第２の曲線ガイド部に沿って移動することを特徴とする携帯端末機の回転ヒンジ装置。
【請求項１２】
前記ベース部材は、第１及び第２の板状部材で構成され、
前記第１及び第２の板状部材の間では前記第１及び第２のガイドピン、前記第１及び第２のガイド部材、及び前記複数のパワー供給手段を実装する実装空間が提供され、
前記第１及び第２の板状部材には前記接続部材にネジ締結される少なくとも一つ以上の締結部が形成されることを特徴とする請求項１１に記載の携帯端末機の回転ヒンジ装置。
【請求項１３】
前記回転部材は、
第１のガイドピンを前記第１のガイド部材に貫通させつつ結合する第１の結合部と、
前記第１の結合部に隣接した位置に形成され、前記第２のガイドピンを前記第２のガイド部材に貫通させつつ結合する第２の結合部と、
前記第２の結合部に隣接した位置に形成され、前記フォルダとネジ結合される少なくとも一つの第３の結合部と、
を含むことを特徴とする請求項１１に記載の携帯端末機の回転ヒンジ装置。
【請求項１４】
前記回転部材は‘＋’形状からなることを特徴とする請求項１１に記載の携帯端末機の
回転ヒンジ装置。
【請求項１５】
前記第１のガイド部材は、前記第１のガイドピンを貫通させ、前記フォルダの回転時に前記第１のガイドピンを曲線移動するようにガイドする第１のガイド孔で構成され、
前記第１のガイド孔は、その一端に形成され、前記第１のガイドピンと接触して曲線移動を前記フォルダの回転終了位置で停止させる第１のストッパーと、他端に形成され、前記第１のガイドピンと接触して前記フォルダを９０度回転させた状態で停止させる第２のストッパーとを含むことを特徴とする請求項１１に記載の携帯端末機の回転ヒンジ装置。
【請求項１６】
前記第１のガイド孔は曲線からなることを特徴とする請求項１５に記載の携帯端末機の回転ヒンジ装置。
【請求項１７】
前記第２のガイド部材は、前記第２のガイドピンを貫通させ、前記フォルダの長手方向に沿って直線状に形成され、前記フォルダの回転時に前記第１のガイドピンが前記第１のガイド部材によって曲線移動して前記第１のガイド部材の中央部に位置するとともに、前記第２のガイドピンを直線移動させるようにガイドする第２のガイド孔で構成されることを特徴とする請求項１１に記載の携帯端末機の回転ヒンジ装置。
【請求項１８】
前記パワー供給手段は、第１、第２、及び第３の弾性部材で構成され、
前記第１の弾性部材は、一端が前記第１の板状部材にネジ締結され、他端が前記第１のガイドピンに締結されて前記第１のガイドピンが曲線移動する場合に、所定の軌跡に沿って共に回転移動して前記第１のガイドピンを半自動で曲線移動するように弾性力を提供し、
前記第２の弾性部材は、一端が前記第１の板状部材にネジ締結され、他端が前記第１のガイドピンに締結されて前記第１のガイドピンが曲線移動する場合に、所定の軌跡に沿って共に回転移動して前記第１のガイドピンを半自動で曲線移動するように弾性力を提供し、
前記第３の弾性部材は、一端が前記第１の板状部材にネジ締結され、他端が前記第２のガイドピンに締結されて前記第２のガイドピンが直線移動する場合に、所定の軌跡に沿って共に回転移動して前記第２のガイドピンを半自動で曲線移動するように弾性力を提供することを特徴とする請求項１２に記載の携帯端末機の回転ヒンジ装置。
【請求項１９】
前記第１のガイドピンは、
前記第１のガイドピンの一端に設けられ、前記第１の弾性部材の他端に締結される第１の締結部と、
前記第１のガイドピンの他端に設けられ、前記第２の弾性部材の他端に締結される第２の締結部と、
から構成されることを特徴とする請求項１８に記載の携帯端末機の回転ヒンジ装置。
【請求項２０】
前記第２のガイドピンは、円筒形のハウジングからなり、前記第３の弾性部材の他端が前記円筒形のハウジングの外周に締結されることを特徴とする請求項１８に記載の携帯端末機の回転ヒンジ装置。
【請求項２１】
フレキシブル回路が貫通するように前記フレキシブル回路孔が前記第２のガイドピンに形成されることを特徴とする請求項１１に記載の携帯端末機の回転ヒンジ装置。
【請求項２２】
前記接続部材は、外部に露出した接続部材側の液晶ディスプレイ装置を有することを特徴とする請求項１１に記載の携帯端末機の回転ヒンジ装置。
【発明の詳細な説明】
【技術分野】
【０００１】
本発明は、直線又は曲線方向に移動することができる携帯端末機の回転ヒンジ装置に関するものである。
【背景技術】
【０００２】
一般に、“携帯端末機(portable  terminal)”は、ユーザーが携帯しつつ他のユーザーと無線通信を遂行することができる装置を意味する。このような携帯端末機は、外形上、バー型(bar-type)、フリップ型(flip-type)、及びフォルダ型(folder-type)携帯端末機のように多様なタイプに分類される。バー型携帯端末機は、バー型の単一ハウジングで構成される。フリップ型携帯端末機は、バー型のハウジングとフリップパネル(panel)がヒンジ装置によって回転可能に取り付けられる。フォルダ型携帯端末機は、単一のバー型ハウジングにフォルダがヒンジ装置によって回転可能に結合されて折り畳み式で構成される。
【０００３】
また、携帯端末機は、開閉方式によって回転型(rotation-type)及びスライディング型(sliding-type)端末機に分類されることもある。回転型携帯端末機では、２つのハウジングが相互に対向しつつ開閉されるように回転可能に結合される。スライディング型携帯端末機では、２つのハウジングが相互に開閉されるようにスライディング移動する方式で結合される。携帯端末機の多様な分類は、当該技術分野における通常の知識を持つ者には容易に理解できることである。
【０００４】
従来の携帯端末機の多様なタイプは、携帯性を向上させるために、軽薄短小化が主流となっており、相手方との音声又は画像通信にとって便利であった。
【０００５】
移動通信サービスが継続して多様化され、携帯端末機がマルチメディア装置として発展しているが、上記携帯端末機は、従来のフォルダ型、スライディング型から外れていない。さらに、携帯端末機の使用が普遍化されるに従って、ユーザーの趣向も一層多様になっている。しかしながら、従来の携帯端末機のタイプは、ユーザーの多様な趣向を満足させていない。
【０００６】
上記のような問題点を解決するために、ディスプレイ回転型携帯端末機が開発されている。
【０００７】
このディスプレイ回転型携帯端末機において、ディスプレイ装置は、ビデオを視聴するためにランドスケープ(landscape)モードに回転させることができる。
【０００８】
図１に示すように、ディスプレイ回転型携帯端末機は、第１のヒンジ軸Ａ１を有する本体ハウジング１０と、フォルダ２０と、接続部材３０とを含む。本体ハウジング１０には、各種キーボタン１１とマイク(microphone)１２が装着される。接続部材３０は、本体ハウジング１０とフォルダ２０を接続させ、第１のヒンジ軸Ａ１を中心に本体ハウジング１０に近い方向あるいは遠い方向にフォルダ２０を回転可能にする。また、接続部材３０は、第２のヒンジ軸を有し、フォルダ２０を上記接続部材３０に対向する状態で回転可能に接続させる。フォルダ２０は、ディスプレイ装置２１とスピーカ２２を備える。
【特許文献１】韓国特許公開公報２００５−００４３３８６号
【発明の開示】
【発明が解決しようとする課題】
【０００９】
しかしながら、従来のディスプレイ回転型端末機において、第１のヒンジ軸を中心としてフォルダを開けてそのディスプレイ装置を回転する場合には、長方形のディスプレイ装置のコーナーが回転可能なように、本体ハウジングとフォルダとの間で回転空間Ｄ１が必要となる。ディスプレイ装置の回転軸がフォルダの中心部に位置しているため、この回転空間はフォルダの回転時には不必要となる。また、ディスプレイ装置のサイズが増加すれば回転空間Ｄ１も増大することによって、携帯端末機のサイズが増加し、携帯端末機の小型化を阻害する。
【００１０】
さらに、ディスプレイ装置のサイズが増加すると、回転軸はフォルダの上部に位置する。したがって、フォルダが机または底面に置かれる場合にフォルダが倒れるという短所があった。
【００１１】
したがって、本発明は上記した従来技術の問題点に鑑みてなされたものであって、本発明の目的は、直線又は曲線方向に移動可能に構成することによって、フォルダを本体ハウジングに近接するように位置させてフォルダの回転時に要求された不要な回転空間を減少することによって、携帯端末機を小型化することができる携帯端末機の回転ヒンジ装置を提供することにある。
【００１２】
また、本発明の目的は、携帯端末機の使用に応じて選択的にそのディスプレイ装置及びキーパッドを回転させることによって、携帯端末機の使用を向上させることができる携帯端末機のデュアルヒンジ装置を提供することにある。
【００１３】
本発明の他の目的は、直線又は曲線方向に移動し、多様な携帯端末機に適用することができる携帯端末機の回転ヒンジ装置を提供することにある。
【課題を解決するための手段】
【００１４】
上記のような目的を達成するために、本発明の一態様によれば、本体ハウジングと、ディスプレイ装置と、本体ハウジングに対して第１及び第２のヒンジ軸を中心に回転するフォルダと、第１及び第２のヒンジ軸を備え、フォルダを第１及び第２のヒンジ軸を中心に回転可能に本体ハウジングに接続させる接続部材とを含む携帯端末機の回転ヒンジ装置であって、接続部材と結合されるベース部材と、フォルダに結合される回転部材と、回転部材に備えられる第１及び第２のガイドピンと、ベース部材に備えられ、第１のガイドピンと結合され、回転部材が第２のヒンジ軸を中心に回転するとき、第１のガイドピンの直線移動をガイドする第１のガイド部材と、ベース部材に備えられ、第２のガイドピンと結合され、回転部材が第２のヒンジ軸を中心に回転するとき、第２のガイドピンの曲線移動をガイドし、第２のヒンジ軸を第２のガイドピンと共に曲線移動させてフォルダのディスプレイ装置を接続部材の中心に位置させる第２のガイド部材と、ベース部材と回転部材との間に備えられ、第１及び第２のガイドピンが直線又は曲線移動可能にパワーを提供するパワー供給手段とを含み、第２のガイド部材は、第２のガイドピンを貫通させる第２のガイド孔を含み、第２のガイド孔は、フォルダを回転させるときに第２のガイドピンの曲線移動をガイドする第１の曲線ガイド部と、第１の曲線ガイド部の反対側に形成される第２の曲線ガイド部と、を有し、第２のガイドピンが第１の曲線ガイド部に沿って移動し、第２のガイド孔の中間部に形成された屈曲点を通り、第２の曲線ガイド部に沿って移動することを特徴とする。
【００１５】
本発明の他の態様によれば、本体ハウジングと、ディスプレイ装置と、本体ハウジングに対して第１、第２、及び第３のヒンジ軸を中心に回転するフォルダと、第１、第２、及び第３のヒンジ軸を備え、フォルダを第１、第２、及び第３のヒンジ軸を中心に回転可能に本体ハウジングに接続させるデュアル接続部材とを含む携帯端末機のデュアルヒンジ装置であって、デュアル接続部材と結合されるベース部材と、フォルダに結合される回転部材と、回転部材に備えられる第１及び第２のガイドピンと、ベース部材に備えられ、第１のガイドピンと結合され、回転部材が第２及び第３のヒンジ軸を中心に回転するとき、第１のガイドピンの直線移動をガイドする第１のガイド部材と、ベース部材に備えられ、第２のガイドピンと結合され、回転部材が第２及び第３のヒンジ軸を中心に回転するとき、第２のガイドピンの曲線移動をガイドし、第２及び第３のヒンジ軸を第２のガイドピンと共に曲線移動させてフォルダのディスプレイ装置を接続部材の中心に位置させる第２のガイド部材と、ベース部材と回転部材との間に備えられ、第１及び第２のガイドピンが直線又は曲線移動可能にパワーを提供するパワー供給手段とを含み、第２のガイド部材は、第２のガイドピンを貫通させる第２のガイド孔を含み、第２のガイド孔は、フォルダを回転させるときに第２のガイドピンの曲線移動をガイドする第１の曲線ガイド部と、第１の曲線ガイド部の反対側に形成される第２の曲線ガイド部と、を有し、第２のガイドピンが第１の曲線ガイド部に沿って移動し、第２のガイド孔の中間部に形成された屈曲点を通り、第２の曲線ガイド部に沿って移動することを特徴とする。
【００１６】
本発明の他の態様によれば、本体ハウジングと、ディスプレイ装置と、本体ハウジングに対向する状態で本体ハウジングの上面で回転する回転ハウジングとを含む携帯端末機の回転ヒンジ装置であって、本体ハウジングに結合されるベース部材と、回転ハウジングに結合される回転部材と、回転部材に備えられる第１及び第２のガイドピンと、回転部材がヒンジ軸を中心に回転する場合に第１のガイドピンの直線移動をガイドするように、ベース部材に備えられ、第１のガイドピンに結合される第１のガイド部材と、回転部材がヒンジ軸を中心に回転する場合に第２のガイドピンの曲線移動をガイドし、第２のガイドピンに沿ってヒンジ軸を移動させて回転ハウジングのディスプレイ装置を本体ハウジングの中央部に位置させるように、ベース部材に備えられ、第２のガイドピンに結合される第２のガイド部材と、ベース部材と回転部材との間に備えられ、第１及び第２のガイドピンが直線又は曲線移動可能にパワーを提供するパワー供給手段とを含むことを特徴とする。
【００１７】
本発明の他の態様によれば、本体ハウジングと、ディスプレイ装置と、第１及び第２のヒンジ軸を中心に本体ハウジングから離れるように回転するフォルダと、第１及び第２のヒンジ軸を備え、フォルダを第１及び第２のヒンジ軸を中心に回転するように接続させる接続部材とから構成される携帯端末機の回転ヒンジ装置であって、接続部材に締結されるベース部材と、フォルダに締結される回転部材と、ベース部材を貫通して回転部材に結合される第１及び第２のガイドピンと、回転部材が第２のヒンジ軸を中心に回転される場合に第１のガイドピンが半自動で曲線移動し、第２のガイドピンが半自動で直線移動するようにベース部材に備えられる第１及び第２のガイド部材と、第１及び第２のガイドピンが半自動で曲線又は直線移動させる力を提供するために、ベース部材の内側に位置され、第１及び第２のガイドピンに結合される複数のパワー供給手段とを含み、第２のガイド部材は、第２のガイドピンを貫通させる第２のガイド孔を含み、第２のガイド孔は、フォルダを回転させるときに第２のガイドピンの曲線移動をガイドする第１の曲線ガイド部と、第１の曲線ガイド部の反対側に形成される第２の曲線ガイド部と、を有し、第２のガイドピンが第１の曲線ガイド部に沿って移動し、第２のガイド孔の中間部に形成された屈曲点を通り、第２の曲線ガイド部に沿って移動することを特徴とする。
【発明の効果】
【００１８】
本発明は、フォルダの回転軸が直線又は曲線方向に移動でき、フォルダを本体ハウジングに近接するように位置させてフォルダの回転時に要求された不要な回転空間を減少することによって、携帯端末機を小型化することができる。
【００１９】
また、本発明は、携帯端末機の使用に応じて選択的にそのディスプレイ装置及びキーパッドを回転させることで、携帯端末機の使用を向上させることができる。
【００２０】
なお、本発明は、多様な携帯端末機に適用できる携帯端末機の回転ヒンジ装置を提供する効果を有する。
【発明を実施するための最良の形態】
【００２１】
以下、本発明の望ましい第１の実施形態を添付の図面を参照して詳細に説明する。
【００２２】
図２に示すように、携帯端末機は、本体ハウジング１０と、フォルダ２０と、接続部材３０とを含む。
【００２３】
図２、図３、図５、及び図６に示すように、携帯端末機の回転ヒンジ装置１００は、ベース部材１１０と、回転部材１２０と、第１及び第２のガイドピン１３０，１４０と、第１及び第２のガイド部材１５０，１６０と、パワー供給手段１７０とを含む。ベース部材１１０は、後述する回転部材１２０の回転を支持するように接続部材３０に結合される。回転部材１２０は、フォルダ２０に装着され、ベース部材１１０と回転可能に結合される。第１及び第２のガイドピン１３０，１４０は、後述するように、第１及び第２のガイド部材１５０，１６０を貫通し、回転部材１２０に装着される。第１のガイド部材１５０は、第１のガイドピン１３０と結合され、回転部材１２０が第２のヒンジ軸Ａ２を中心に回転する場合に第１のガイドピン１３０の直線移動をガイドするようにベース部材１１０に備えられる。第２のガイド部材１６０は、回転部材１２０が第２のヒンジ軸Ａ２を中心に回転する場合に第２のガイドピン１４０の曲線移動をガイドし、第２のヒンジ軸Ａ２も共に曲線移動するように、第２のガイドピン１４０に結合される。また、第２のガイド部材１６０は、ベース部材１１０上に配置され、それによってフォルダ２０のディスプレイ装置２１が接続部材３０の中央部に位置される。パワー供給手段１７０は、ベース部材１１０と回転部材１２０との間に配置され、第１及び第２のガイドピン１３０，１４０を直線又は曲線に移動させるようにこれらガイドピン１３０，１４０に力を供給する。
【００２４】
図２及び図４に示すように、第１のガイド部材１５０は、第１のガイドピン１３０を貫通させるように第１のガイド孔１５０を含む。第１のガイド孔１５０は、フォルダ２０の縦方向に直線状に形成されている。
【００２５】
図３及び図４に示すように、第１のガイド孔１５０は、その一端に形成され、フォルダ２０の回転が終了する位置で第１のガイドピン１３０の直線移動を停止させるように第１のガイドピン１３０と接触する第１のストッパー１５１と、その他端に形成され、フォルダ２０を９０度回転させた後に第１のガイドピン１３０の直線移動を停止させる第２のストッパー１５２とを有する。
【００２６】
図３に示すように、第２のガイド部材１６０は、第２のガイドピン１４０を貫通させるように第２のガイド孔１６０を含む。第２のガイド孔１６０は、フォルダ２０が回転するときに第２のガイドピン１４０の曲線移動をガイドするように、第１の曲線ガイド部１６１を有する。
【００２７】
この状態で、図７、図８、図９、及び図１０に示すように、第２のガイド孔１６０は、フォルダ２０が９０度回転する場合、第２のガイドピン１４０が第１の曲線ガイド部１６１に沿って移動し、第２のガイド孔１６０の中央部に形成された屈曲点１６２を通すために、第１の曲線ガイド部１６１の反対側に配置された第２の曲線ガイド部１６３を有する。
【００２８】
図１０に示すように、第２のガイド孔１６０は、‘Ｓ’字形に形成される。
【００２９】
図７、図８、図９、及び図１０に示すように、第１の曲線ガイド部１６１は、その一端に形成され、フォルダ２０の回転が終了する位置でフォルダ２０の移動を停止させるように第２のガイドピン１４０と接触する第１のストッパー１６４を有する。また、第２の曲線ガイド部１６３は、その一端に形成され、フォルダ２０を９０度回転させるときにこのフォルダ２０の移動を停止させるように第２のガイドピン１４０と接触する第２のストッパー１６５を有する。
【００３０】
図７及び図８に示すように、パワー供給手段１７０は、弾性部材１７０からなる。弾性部材１７０は、第２のガイドピン１４０と結合される一端１７１と、第２のガイドピン１４０が回転するにしたがって所定の軌跡(trajectory)に沿って移動するようにベース部材１１０と結合される他端１７２とを有する。
【００３１】
上記したように構成される本発明の第１の実施形態による携帯端末機の回転ヒンジ装置の動作について、図２乃至図１０を参照してより詳細に説明する。
【００３２】
図２に示すように、携帯端末機は、本体ハウジング１０と、フォルダ２０と、接続部材３０とを含む。
【００３３】
図２、図３、及び図４に示すように、携帯端末機の回転ヒンジ装置１００は、ベース部材１１０と、回転部材１２０と、第１及び第２のガイドピン１３０，１４０と、第１及び第２のガイド部材１５０，１６０と、パワー供給手段１７０とを含む。第１及び第２のガイドピン１３０，１４０は、ベース部材１１０に備えられた第１及び第２のガイド部材１５０，１６０をそれぞれ貫通し、回転部材１２０と結合される。第１及び第２のガイド部材１５０，１６０は、第１及び第２のガイド孔からなる。このとき、パワー供給手段１７０は、これら第１及び第２のガイド部材１５０，１６０に接続される。パワー供給手段１７０は、一端が第２のガイドピン１４０と結合され、他端がベース部材１１０と結合される弾性部材１７０から構成される。
【００３４】
この状態で、図２に示すように、ベース部材１１０は接続部材３０に固定され、回転部材１２０はフォルダ２０に付着される。
【００３５】
この状態で、図５及び図６に示すように、フォルダ２０は、接続部材３０の第１のヒンジ軸Ａ１を中心に本体ハウジング１０から離れて遠くなるように回転することができる。
【００３６】
図７及び図８に示すように、フォルダ２０は、第２のヒンジ軸Ａ２を中心に縦方向から横方向へ、すなわち時計方向に回転する。
【００３７】
このとき、第１のガイドピン１３０は、第１のガイド孔１５０に沿って直線に移動し、第２のガイドピン１４０は、第２のガイド孔１６０の第１の曲線ガイド部１６１に沿って曲線方向に移動する。
【００３８】
第１及び第２のガイドピン１３０，１４０が、第１及び第２のガイド孔１５０，１６０の中間部へそれぞれ移動すると、第２のガイドピン１４０は、第２のガイド孔１６０の中間部に形成された屈曲点１６２を通り、第１の曲線ガイド部１６１の反対側に形成された第２の曲線ガイド部１６３に沿って移動する。同時に、第１のガイドピン１３０も第１のガイド孔１５０に沿って直線に移動する。
【００３９】
図９及び図１０に示すように、フォルダ２０は、９０度回転して横方向(landscape)に配置される。
【００４０】
このとき、弾性部材１７０は、第１及び第２のガイドピン１３０，１４０が第１及び第２のガイド孔１５０，１６０に従って直線又は曲線方向に移動するように弾性力を提供する。弾性部材１７０は、第２のガイドピン１４０が回転するにしたがって所定の軌跡に沿って上記第２のガイドピン１４０と共に移動する。
【００４１】
第２のガイド孔１６０は、‘Ｓ’字形からなり、第２のガイドピン１４０を曲線方向に移動させる。
【００４２】
図７、図８、図９、及び図１０に示すように、第１のガイド孔１５０は、その一端に形成され、フォルダ２０の回転が終了する位置で第１のガイドピン１３０の直線移動を停止させるように第１のガイドピン１３０と接触する第１のストッパー１５１と、その他端に形成され、フォルダ２０を９０度回転させるときに第１のガイドピン１３０の直線移動を停止させる第２のストッパー１５２とを有する。したがって、フォルダ２０が９０度回転すると、同時に第１のガイドピン１３０が第２のストッパー１５２に接触し、その結果、第１のガイドピン１３０の直線移動が第２のストッパー１５２によって停止される。
【００４３】
また、第２の曲線ガイド部１６３は、その一端に、フォルダ２０を９０度回転させる場合にこのフォルダ２０の回転を停止させる第２のストッパー１６５を有する。したがって、フォルダ２０を９０度回転させる場合に、第２のガイドピン１４０は、第２のストッパー１６５と接触し、この第２のストッパー１６５によって第２のガイドピン１４０の曲線移動が停止される。
【００４４】
図５及び図６に示すように、フォルダ２０が回転力を受けると、フォルダ２０は、第２のヒンジ軸Ａ２を中心に反時計方向に回転する。同時に、第１及び第２のガイドピン１３０，１４０は、各々第２のストッパー１５２，１６５から離脱される。第１のガイドピン１３０は、第１のガイド孔１５０に沿って直線に移動し、第２のガイドピン１４０は、第２の曲線ガイド部１６３に沿って曲線に移動する。すると、第１のガイドピン１３０は、第１のガイド孔１５０の一端に形成された第１のストッパー１５１と接触して直線移動を停止する。
【００４５】
同時に、第２のガイドピン１４０は、屈曲点１６２を通り、第１の曲線ガイド部１６１に沿って曲線に移動する。すると、第２のガイドピン１４０は、第１の曲線ガイド部１６１に形成された第１のストッパー１６４と接触して曲線移動を停止する。
【００４６】
弾性部材１７０は、第１及び第２のガイドピン１３０，１４０が直線又は曲線方向に移動するように弾性力を提供する。
【００４７】
以下、本発明の第２の実施形態による携帯端末機のデュアルヒンジ装置の動作について、図１１乃至図１８を参照してより詳細に説明する。
【００４８】
図１１，図１２、及び図１３に示すように、携帯端末機は、本体ハウジング１０と、フォルダ２０と、デュアル接続部材２００とを含む。デュアル接続部材２００は、第１、第２、及び第３の接続部材２０１，２０２，２０３を含む。第２及び第３の接続部材２０２，２０３は、第１のヒンジ軸Ａ１を中心に回転するように第１の接続部材２０１によって相互に接続される。
【００４９】
図１１及び図１２に示すように、携帯端末機のデュアルヒンジ装置１００は、ベース部材１１０と、回転部材１２０と、第１及び第２のガイドピン１３０，１４０と、第１及び第２のガイド部材１５０，１６０と、パワー供給手段１７０とを含む。第１及び第２のガイドピン１３０，１４０は、ベース部材１１０に形成された第１及び第２のガイド部材１５０，１６０をそれぞれ貫通し、回転部材１２０と結合される。第１及び第２のガイド部材１５０，１６０は、第１及び第２のガイド孔を含む。
【００５０】
図１２に示すように、パワー供給手段１７０は、第１及び第２のガイド部材１５０，１６０に備えられ、弾性部材１７０を含む。弾性部材１７０は、その一端が第２のガイドピン１４０に接続され、他端がベース部材１１０に結合される。
【００５１】
この状態で、図１１に示すように、ベース部材１１０は、第２及び第３の接続部材２０２，２０３に付着され、それぞれ、回転部材１２０は、本体ハウジング１０及びフォルダ２０に結合される。
【００５２】
図１３及び図１４に示すように、携帯端末機が通話モードで使用される場合に、フォルダ２０は、第１の接続部材の第１のヒンジ軸Ａ１を中心に本体ハウジング１０から離れて遠くなるように回転する。
【００５３】
図１５、図１６、図１７、及び図１８に示すように、ユーザーがディスプレイ装置２１及びキーパッド１１を用いてゲームをしたり、ＴＶまたは動画を視聴する場合、本体ハウジング及びフォルダ２０は、第２及び第３のヒンジ軸Ａ２，Ａ３を中心に時計方向に回転する。
【００５４】
このとき、第１のガイドピン１３０は、第１のガイド孔１５０に沿って直線に移動し、第２のガイドピン１４０は、第２のガイド孔１６０の第１の曲線ガイド部１６１に沿って曲線に移動する。
【００５５】
図１５及び図１６に示すように、第１及び第２のガイドピン１３０，１４０が第１及び第２のガイド孔１５０，１６０の中間部に移動する場合、第２のガイドピン１４０は、第２のガイド孔１６０の屈曲点１６２を通過し、第１の曲線ガイド部１６１の反対側に形成された第２の曲線ガイド部１６３に沿って移動する。同時に、第１のガイドピン１３０も、第１のガイド孔１５０に沿って直線に移動する。図１７及び図１８に示すように、本体ハウジング１０とフォルダ２０は、９０度回転して横方向に配置される。
【００５６】
弾性部材１７０は、第１及び第２のガイドピン１３０，１４０が各々第１及び第２のガイド孔１５０，１６０に沿って直線又は曲線方向に移動するように弾性力を提供する。弾性部材１７０は、第２のガイドピン１４０が回転するにしたがって所定の軌跡に沿って上記第２のガイドピン１４０と共に移動する。
【００５７】
図１５及び図１６に示すように、第２及び第３のヒンジ軸Ａ２，Ａ３は、共に直線に移動する。 第１のガイド孔１５０は、その一端に形成され、本体ハウジング１０及びフォルダ２０の回転が終了する位置で第１のガイドピン１３０と接触して本体ハウジング１０とフォルダ２０の直線移動を停止させる第１のストッパー１５１と、その他端に形成され、第１のガイドピン１３０の直線移動を停止させる第２のストッパー１５２とを有する。本体ハウジング１０及びフォルダ２０が９０度回転すると、同時に第１のガイドピン１３０が第２のストッパー１５２に接触され、それによって第１のガイドピン１３０の直線移動が停止される。
【００５８】
同時に、図１７及び図１８に示すように、第２の曲線ガイド部１６３は、一端に形成され、本体ハウジング１０及びフォルダ２０が９０度回転する場合にこれらを停止させる第２のストッパー１６５を有する。同様に、本体ハウジング１０及びフォルダ２０が９０度回転する場合に、第２のガイドピン１４０は、第２のストッパー１６５と接触され、上記本体ハウジング１０及びフォルダ２０の曲線移動を停止する。
【００５９】
図１７及び図１８に示すように、本体ハウジング１０及びフォルダ２０が第２及び第３のヒンジ軸Ａ２，Ａ３を中心に直線又は曲線に移動する場合に、本体ハウジング１０及びフォルダ２０は、９０度回転された‘Ｈ’字形に配置される。
【００６０】
この状態で、ユーザーが両手を用いて本体ハウジングに備えられたキーパッドを使用し、それによって、ゲーム又は他の機能に使用することを容易にする。
【００６１】
ここで、本体ハウジング１０とフォルダ２０が横方向から縦方向(portrait)に回転すると、第１及び第２のガイドピン１３０，１４０は、第２のストッパー１５２，１６５から離脱される。また、第１のガイドピン１３０は、第１のガイド孔１５０に沿って直線に移動し、第２のガイドピン１４０は、第２の曲線ガイド部１６３に沿って曲線方向に移動する。第１のガイドピン１３０は、第１のガイド孔１５０の一端に形成された第１のストッパー１５１と接触してその直線移動を停止する。また、第２のガイドピン１４０は、屈曲点１６２を通り、第１の曲線ガイド部１６１に沿って曲線方向に移動する。第２のガイドピン１４０は、第１の曲線ガイド部１６１に形成された第１のストッパー１６４と接触してその曲線移動を停止する。弾性部材１７０は、第１及び第２のガイドピン１３０，１４０の直線又は曲線移動のために弾性力を提供する。
【００６２】
下記に、本発明の第３の実施形態による回転型携帯端末機の回転ヒンジ装置の動作について、図１９および図２０を参照して詳細に説明する。
【００６３】
図１９に示すように、回転型携帯端末機は、本体ハウジング３００と、ディスプレイ装置４０１と、本体ハウジング３００と対向した状態で本体ハウジング３００の上面で回転する回転ハウジング４００とを含む。
【００６４】
回転型携帯端末機の回転ヒンジ装置１００は、ベース部材１１０と、回転部材１２０と、第１及び第２のガイドピン１３０，１４０と、第１及び第２のガイド部材１５０，１６０と、パワー供給手段１７０とを含む。
【００６５】
第１及び第２のガイドピン１３０，１４０は、ベース部材１１０に備えられた第１及び第２のガイド部材１５０，１６０を貫通し、回転部材１２０と結合される。
【００６６】
第１及び第２のガイド部材１５０，１６０は、各々第１及び第２のガイド孔を有する。
【００６７】
第１及び第２のガイド部材１５０，１６０は、パワー供給手段１７０を備える。パワー供給手段１７０は、一端が第２のガイドピン１４０に接続され、他端がベース部材１１０と結合される弾性部材１７０を有する。
【００６８】
この状態で、ベース部材１１０は、本体ハウジング３００と結合され、回転部材１２０は回転ハウジング４００と結合される。
【００６９】
この回転ハウジング４００は、縦方向から横方向に回転する。
【００７０】
このとき、第１のガイドピン１３０は、第１のガイド孔１５０に沿って直線に移動し、第２のガイドピン１４０は、第２のガイド孔１６０の第１の曲線ガイド部１６１に沿って曲線方向に移動する。
【００７１】
第１及び第２のガイドピン１３０，１４０が、第１及び第２のガイド孔１５０，１６０の中間部にそれぞれ移動する場合に、第２のガイドピン１４０は、第２のガイド孔１６０の中間部に形成された屈曲点１６２を通り、第１の曲線ガイド部１６１の反対側に形成された第２の曲線ガイド部１６３に沿って移動する。同時に、第１のガイドピン１３０は、第１のガイド孔１５０に沿って直線に移動する。
【００７２】
図２０に示すように、回転ハウジング４００は、９０度回転して横方向に配置される。
【００７３】
このとき、図１９に示すように、弾性部材１７０は、第１及び第２のガイドピン１３０，１４０が第１及び第２のガイド孔１５０，１６０に沿って直線又は曲線に移動するように弾性力を提供する。弾性部材１７０は、第２のガイドピン１４０を曲線方向に移動するにしたがって所定の軌跡に沿って上記第２のガイドピン１４０を共に移動する。
【００７４】
第２のガイド孔１６０は、第２のガイドピン１４０が曲線方向に移動するように‘Ｓ’字形を有する。
【００７５】
第１のガイド孔１５０は、その一端に形成され、回転ハウジング４００の回転が終了する位置で第１のガイドピン１３０の直線移動を停止させるように第１のガイドピン１３０と接触する第１のストッパー１５１と、その他端に形成され、回転ハウジング４００を９０度回転させるときに第１のガイドピン１３０の直線移動を停止させる第２のストッパー１５２とを有する。したがって、回転ハウジング４００が９０度回転すると、同時に第１のガイドピン１３０が第２のストッパー１５２に接触してその直線移動を停止する。
【００７６】
同時に、第２の曲線ガイド部１６３は、その一端に、回転ハウジング４００が９０度回転するときにその回転ハウジング４００を停止させる第２のストッパー１６５を有する。同様に、回転ハウジング４００が９０度回転する場合に、第２のガイドピン１４０は、第１のストッパー１６４と接触してその曲線移動を停止する。
【００７７】
ここで、図２０に示すように、回転ハウジング４００が横方向から縦方向に回転する場合に、図１９に示した回転ハウジング４００は、第１のヒンジ軸Ａ１を中心に回転する。第１及び第２のガイドピン１３０，１４０は、第２のストッパー部１５２，１６４から離脱され、第１のガイドピン１３０は、第１のガイド孔１５０に沿って直線に移動する。さらに、第２のガイドピン１４０は、第２の曲線ガイド部１６３に沿って曲線方向に移動する。すると、第１のガイドピン１３０は、第１のガイド孔１５０の一端に形成された第１のストッパー１５１と接触してその直線移動を停止する。
【００７８】
同時に、第２のガイドピン１４０は、屈曲点１６２を通り、第１の曲線ガイド部１６１に沿って曲線方向に移動する。すると、第２のガイドピン１４０は、第１の曲線ガイド部１６１に形成された第１のストッパー１６４に接触されてその曲線移動を停止させる。
【００７９】
弾性部材１７０は、第１及び第２のガイドピン１３０，１４０の直線又は曲線移動のために弾性力を提供する。
【００８０】
以下、本発明の第４の実施形態による携帯端末機の回転ヒンジ装置の動作について、図２１乃至図２９を参照して詳細に説明する。
【００８１】
図２１及び図２２に示すように、携帯端末機は、本体ハウジング１０と、フォルダ２０と、接続部材３０とを含む。
【００８２】
図２１乃至図２５に示すように、携帯端末機は、ベース部材７１０と、回転部材７２０と、第１及び第２のガイドピン７３０，７４０と、第１及び第２のガイド部材７５０，７６０と、複数のパワー供給手段７７０とを含む回転ヒンジ装置を有する。第１及び第２のガイド部材７５０，７６０は、第１及び第２のガイド孔を有する。第１のガイド孔７５０は曲線に、第２のガイド孔７６０は直線にそれぞれ形成される。パワー供給手段７７０は、第１、第２、及び第３の弾性部材７７１，７７２，７７３を含む。
【００８３】
図２１乃至図２５に示すように、ベース部材７１０は、実装空間７１３を確定する第１及び第２の板状(planar)部材７１１，７１２を含み、それによって第１及び第２のガイドピン７３０，７４０、第１及び第２のガイド部材７５０，７６０、第１、第２、第３の弾性部材７７１，７７２，７７３が上記実装空間７１３に取り付けられる。第１及び第２のガイドピン７３０，７４０は、ベース部材７１０に形成された第１及び第２のガイド部材７５０，７６０を通して結合される。第１の弾性部材７７１は、一端７７１ａが第１の板状部材７１１に固定され、他端７７１ｂが第１のガイドピン７３０の第１の締結部７３１に締結される。第１の締結部７３１はガイドピン７３０の一端に設けられている。第２の弾性部材７７２は、一端７７２ａが第１の板状部材７１１に固定され、他端７７２ｂが第１のガイドピン７３０の第２の締結部７３２に締結される。第２の締結部７３２はガイドピン７３０の他端に設けられている。第３の弾性部材７７３は、一端７７３ａが第１の板状部材７１１に締結され、他端７７３ｂが第２のガイドピン７４０に締結される。第２のガイドピン７４０は、円筒形のハウジングからなり、その外周が第３の弾性部材７７３の他端に締結される。
【００８４】
図２１及び図２２に示すように、回転部材７２０の第１の結合部(coupler)７２１は、第１のガイド部材７５０を貫通する第１のガイドピン７３０と結合され、回転部材７２０の第２の結合部７２２は、第２のガイド部材７６０を貫通する第２のガイドピン７４０と結合される。この状態で、回転部材７２０の第３の結合部７２３は、ネジ８００によってフォルダ２０と結合され、ベース部材７１０の締結部７１４はネジ８００によって接続部材３０と結合される。
【００８５】
図２１及び図２２に示すように、第２のガイドピン７４０は、フレキシブル(flexible)回路(図示せず)を貫通させるフレキシブル回路孔７４１が形成されている。接続部材３０は、外部に露出した接続部材側のＬＣＤ(Liquid  Crystal Display unit)３３を有する。回転部材７２０は、‘＋’形状からなる。
【００８６】
この状態で、図２３、図２４、及び図２５に示すように、フォルダ２０は、接続部材３０の第１のヒンジ軸Ａ１を中心に本体ハウジング１０から離れるように回転する。
【００８７】
図２６及び図２７に示すように、フォルダ２０は、第２のヒンジ軸Ａ２を中心に回転し、それによって長手方向に沿って配置されていたフォルダ２０が横方向に配置される。
【００８８】
回転部材７２０も共に回転し、第１のガイドピン７３０も共に回転する。
【００８９】
図２７に示すように、第１のガイドピン７３０は、第１のガイド部材７５０の第１のストッパー７５１から離脱されるまで、第１のガイド部材７５０の曲線に沿って半自動で移動する。
【００９０】
図２８及び図２９に示すように、第１のガイドピン７３０は、第１のガイド部材７５０の曲線に沿って移動して中央部に到達し、第２のガイドピン７４０は、第２のガイド部材７６０に沿って直線に半自動で移動する。第１のガイドピン７３０が第１のガイド部材７５０の第２のストッパー７５２に接触した場合には曲線移動を停止する。すると、第２のガイドピン７４０は、直線に移動する。同時に、第２のヒンジ軸Ａ２も共に直線に移動する。フォルダ２０は、第２のヒンジ軸Ａ２を中心に回転する。
【００９１】
図２９に示すように、フォルダ２０は、９０度回転して横方向に配置される。
【００９２】
図２５、図２６、及び図２７に示すように、第１及び第２の弾性部材７７１，７７２は、第１のガイドピン７３０が半自動で曲線に沿って移動するように弾性力を提供する。また、第３の弾性部材７７３は、第２のガイドピン７４０が半自動で直線移動するように弾性力を提供する。
【００９３】
図２４及び図２５に示すように、横方向に配置されたフォルダ２０は、縦方向に配置されるように再び回転する。すると、第１のガイドピン７３０は、第２のストッパー７５２から離脱し、第１のガイド部材７５０の曲線に沿って移動する。第１のガイドピン７３０が第１のガイド部材７５０の中央に到達した後に、第２のガイドピン７４０は、元の位置に戻るまで、第２のガイド部材７６０に沿って直線に移動する。
【００９４】
第１及び第２のガイドピン７３０，７４０は、第１のストッパー７５１と接触し、第１のガイドピン７３０の移動を停止させ、フォルダ２０の回転を制限する。
【００９５】
第１、第２、及び第３の弾性部材７７１，７７２，７７３は、第１及び第２のガイドピン７３０，７４０を半自動で曲線又は直線移動するように弾性力を提供する。
【００９６】
回転ヒンジ装置７００は、フォルダ２０を第１、第２、第３のヒンジ軸を中心に回転するように接続させるためのデュアル接続部材(図示せず)を提供する。回転ヒンジ装置は、回転型携帯端末機(図示せず）だけでなく、あらゆる携帯端末機にも適用することができる。
【００９７】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【産業上の利用可能性】
【００９８】
本発明は、直線又は曲線方向に移動でき、フォルダを本体ハウジングに近接するように位置させてフォルダの回転時に要求された不要な回転空間を減少することによって、携帯端末機を小型化することができる。
【図面の簡単な説明】
【００９９】
【図１】ディスプレイ装置を有する携帯端末機のフォルダが回転する従来のフォルダ型携帯端末機を示す正面図である。
【図２】本発明の第１の実施形態による携帯端末機の回転ヒンジ装置の構成を示す分解斜視図である。
【図３】図２の円Ａで表示された回転ヒンジ装置を示す分解斜視図である。
【図４】本発明の第１の実施形態による携帯端末機の回転ヒンジ装置において、フォルダに結合される前の状態を示す斜視図である。
【図５】本発明の第１の実施形態による携帯端末機の回転ヒンジ装置において、フォルダが開かれた状態を示す斜視図である。
【図６】本発明の第１の実施形態による携帯端末機の回転ヒンジ装置において、フォルダが開かれた状態を示す正面図である。
【図７】本発明の第１の実施形態による携帯端末機の回転ヒンジ装置において、フォルダが回転する状態を示す斜視図である。
【図８】本発明の第１の実施形態による携帯端末機の回転ヒンジ装置において、フォルダが回転する状態を示す正面図である。
【図９】本発明の第１の実施形態による携帯端末機の回転ヒンジ装置において、フォルダを回転ヒンジ装置によって９０度回転させる状態を示す斜視図である。
【図１０】本発明の第１の実施形態による携帯端末機の回転ヒンジ装置において、フォルダを回転ヒンジ装置によって９０度回転させる状態を示す正面図である。
【図１１】本発明の第２の実施形態による携帯端末機のデュアルヒンジ装置の構成を示す分解斜視図である。
【図１２】図１１の円Ｂで表示されたデュアルヒンジ装置を示す分解斜視図である。
【図１３】本発明の第２の実施形態による携帯端末機のデュアルヒンジ装置の結合状態を示す斜視図である。
【図１４】本発明の第２の実施形態による携帯端末機のデュアルヒンジ装置の結合状態を示す正面図である。
【図１５】本発明の第２の実施形態により、本体ハウジングとフォルダを回転させる携帯端末機のデュアルヒンジ装置を示す斜視図である。
【図１６】本発明の第２の実施形態による携帯端末機において、デュアルヒンジ装置が本体ハウジングとフォルダを回転させることを示す正面図である。
【図１７】本発明の第２の実施形態による携帯端末機において、本体ハウジングとフォルダが９０度回転することを示す斜視図である。
【図１８】本発明の第２の実施形態による携帯端末機において、本体ハウジングとフォルダが９０度回転することを示す正面図である。
【図１９】本発明の第３の実施形態による回転型携帯端末機の回転ヒンジ装置の構成を示す分解斜視図である。
【図２０】本発明の第３の実施形態による回転型携帯端末機において、回転ヒンジ装置が上記端末機の回転体を回転することを示す正面図である。
【図２１】本発明の第４の実施形態による携帯端末機の回転ヒンジ装置の構成を示す分解斜視図である。
【図２２】図２１の円Ｃで表示された回転ヒンジ装置を示す分解斜視図である。
【図２３】本発明の第４の実施形態による携帯端末機の回転ヒンジ装置の結合状態を示す一部断面の斜視図である。
【図２４】本発明の第４の実施形態による携帯端末機の回転ヒンジ装置において、フォルダが開かれた状態を示す斜視図である。
【図２５】本発明の第４の実施形態による携帯端末機の回転ヒンジ装置において、フォルダが開かれた状態を示す正面図である。
【図２６】本発明の第４の実施形態による携帯端末機の回転ヒンジ装置において、フォルダが回転する状態を示す斜視図である。
【図２７】本発明の第４の実施形態による携帯端末機の回転ヒンジ装置において、フォルダが回転する状態を示す正面図である。
【図２８】本発明の第４の実施形態による携帯端末機の回転ヒンジ装置において、フォルダが９０度回転する状態を示す斜視図である。
【図２９】本発明の第４の実施形態による携帯端末機の回転ヒンジ装置において、フォルダが９０度回転する状態を示す正面図である。
【図１】
0004824071.tif 000002
【図２】
0004824071.tif 000003
【図３】
0004824071.tif 000004
【図４】
0004824071.tif 000005
【図５】
0004824071.tif 000006
【図６】
0004824071.tif 000007
【図７】
0004824071.tif 000008
【図８】
0004824071.tif 000009
【図９】
0004824071.tif 000010
【図１０】
0004824071.tif 000011
【図１１】
0004824071.tif 000012
【図１２】
0004824071.tif 000013
【図１３】
0004824071.tif 000014
【図１４】
0004824071.tif 000015
【図１５】
0004824071.tif 000016
【図１６】
0004824071.tif 000017
【図１７】
0004824071.tif 000018
【図１８】
0004824071.tif 000019
【図１９】
0004824071.tif 000020
【図２０】
0004824071.tif 000021
【図２１】
0004824071.tif 000022
【図２２】
0004824071.tif 000023
【図２３】
0004824071.tif 000024
【図２４】
0004824071.tif 000025
【図２５】
0004824071.tif 000026
【図２６】
0004824071.tif 000027
【図２７】
0004824071.tif 000028
【図２８】
0004824071.tif 000029
【図２９】
0004824071.tif 000030